(57)【要約】【課題】原稿台に置かれた原稿の画像が読み取られたことを読み取られた原稿の画像を用いて知らせたり、読み取られた原稿の画像をその後に利用したりすることができるようにする。【解決手段】画像読取装置は、原稿９５１〜９５３を置くための原稿台２０に置かれた原稿９５１〜９５３の画像を読み取る読取手段と、読取手段により読み取られた原稿９５１〜９５３の画像の一部９３１〜９３３を、原稿台２０の原稿９５１〜９５３が置かれた範囲に隣接する範囲に表示する表示手段とを備える。【選択図】図１８
2019092065.tif 000002
【特許請求の範囲】
【請求項１】
原稿を置くための原稿台に置かれた当該原稿の画像を読み取る読取手段と、
前記読取手段により読み取られた前記原稿の画像の一部を、前記原稿台の当該原稿が置かれた範囲に隣接する範囲に表示する表示手段と
を備えたことを特徴とする画像読取装置。
【請求項２】
前記表示手段は、前記読取手段により読み取られた前記原稿の画像の一部を、前記原稿台の前記原稿が置かれた側から当該原稿台の側に向けて光を照射させることにより表示することを特徴とする請求項１に記載の画像読取装置。
【請求項３】
前記表示手段は、前記原稿台から前記原稿を取り去る操作に応じて、前記読取手段により読み取られた当該原稿の画像の全体を、当該原稿台に表示することを特徴とする請求項２に記載の画像読取装置。
【請求項４】
原稿を置くための原稿台に置かれた当該原稿の画像を読み取る読取手段と、
前記読取手段により読み取られた前記原稿の画像を、前記原稿台の当該原稿が置かれていた又は置かれた範囲と重複部分を持つ範囲に表示する表示手段と
を備えたことを特徴とする画像読取装置。
【請求項５】
前記表示手段は、前記読取手段により読み取られた前記原稿の画像に対する操作に応じて、当該原稿の画像に対して加工を施した画像を前記原稿台に表示することを特徴とする請求項４に記載の画像読取装置。
【請求項６】
前記表示手段は、前記読取手段により読み取られた前記原稿の画像を、前記原稿台の前記原稿が置かれていた側から当該原稿台の側に向けて光を照射させることにより表示することを特徴とする請求項４に記載の画像読取装置。
【請求項７】
前記表示手段は、前記原稿台から前記原稿を取り去る操作に応じて、前記読取手段により読み取られた当該原稿の画像を、当該原稿台に表示することを特徴とする請求項６に記載の画像読取装置。
【請求項８】
前記表示手段は、前記読取手段により前記原稿の画像が読み取られたことを示すために当該画像に付加される付加画像を、前記原稿台に置かれた当該原稿上に表示することを特徴とする請求項６に記載の画像読取装置。
【請求項９】
前記表示手段は、前記読取手段により読み取られた前記原稿の画像を、前記原稿台の側から当該原稿台の前記原稿が置かれた側に向けて光を照射させることにより表示することを特徴とする請求項４に記載の画像読取装置。
【請求項１０】
前記表示手段は、前記読取手段により前記原稿の画像が読み取られたことを示すために当該原稿の上から認識可能な効果を有する画像を、前記原稿台の当該原稿が置かれた範囲に表示することを特徴とする請求項９に記載の画像読取装置。
【請求項１１】
原稿を置くための原稿台に画像を表示する表示手段と、
少なくとも前記原稿台に置かれた第１の原稿の画像である第１の画像を、当該原稿台に第２の画像が表示された状態で読み取る読取手段と、
前記読取手段により読み取られた前記第１の画像と、前記第２の画像とを一体化した第３の画像を出力する出力手段と
を備えたことを特徴とする画像読取装置。
【請求項１２】
前記第２の画像は、前記読取手段により読み取られた第２の原稿の画像であることを特徴とする請求項１１に記載の画像読取装置。
【請求項１３】
前記第２の画像は、前記原稿台から前記第２の原稿を取り去る操作に応じて、前記表示手段により当該原稿台に表示された画像であることを特徴とする請求項１２に記載の画像読取装置。
【請求項１４】
前記第２の画像は、自装置の記憶媒体又は他の記憶媒体に予め記憶された画像であることを特徴とする請求項１１に記載の画像読取装置。
【請求項１５】
コンピュータに、
原稿を置くための原稿台に置かれた当該原稿の画像を読み取る機能と、
読み取られた前記原稿の画像の一部を、前記原稿台の当該原稿が置かれた範囲に隣接する範囲に表示する機能と
を実現させるためのプログラム。
【請求項１６】
コンピュータに、
原稿を置くための原稿台に置かれた当該原稿の画像を読み取る機能と、
読み取られた前記原稿の画像を、前記原稿台の当該原稿が置かれていた又は置かれた範囲と重複部分を持つ範囲に表示する機能と
を実現させるためのプログラム。
【請求項１７】
コンピュータに、
原稿を置くための原稿台に画像を表示する機能と、
少なくとも前記原稿台に置かれた第１の原稿の画像である第１の画像を、当該原稿台に第２の画像が表示された状態で読み取る機能と、
読み取られた前記第１の画像と、前記第２の画像とを一体化した第３の画像を出力する機能と
を実現させるためのプログラム。
【発明の詳細な説明】
【技術分野】
【０００１】
本発明は、画像読取装置及びプログラムに関する。
【背景技術】
【０００２】
原稿の画像を読み取る撮像センサに、原稿の側面を投影する測距ミラーが備えられ、この測距ミラーに写された原稿側面の鏡像との対比を基に原稿の位置合わせを行うためのセンターマークが測距ミラー上に描かれている画像読み取り装置は、知られている（例えば、特許文献１参照）。
【先行技術文献】
【特許文献】
【０００３】
【特許文献１】特開平０９−１９１３７６号公報
【発明の概要】
【発明が解決しようとする課題】
【０００４】
ここで、原稿台に置かれた原稿の画像を単に読取手段で読み取る構成を採用した場合には、原稿台に置かれた原稿の画像が読み取られたことを読み取られた原稿の画像を用いて知らせたり、読み取られた原稿の画像をその後に利用したりすることができない。
【０００５】
本発明の目的は、原稿台に置かれた原稿の画像が読み取られたことを読み取られた原稿の画像を用いて知らせたり、読み取られた原稿の画像をその後に利用したりすることができるようにすることにある。
【課題を解決するための手段】
【０００６】
請求項１に記載の発明は、原稿を置くための原稿台に置かれた当該原稿の画像を読み取る読取手段と、前記読取手段により読み取られた前記原稿の画像の一部を、前記原稿台の当該原稿が置かれた範囲に隣接する範囲に表示する表示手段とを備えたことを特徴とする画像読取装置である。
請求項２に記載の発明は、前記表示手段は、前記読取手段により読み取られた前記原稿の画像の一部を、前記原稿台の前記原稿が置かれた側から当該原稿台の側に向けて光を照射させることにより表示することを特徴とする請求項１に記載の画像読取装置である。
請求項３に記載の発明は、前記表示手段は、前記原稿台から前記原稿を取り去る操作に応じて、前記読取手段により読み取られた当該原稿の画像の全体を、当該原稿台に表示することを特徴とする請求項２に記載の画像読取装置である。
請求項４に記載の発明は、原稿を置くための原稿台に置かれた当該原稿の画像を読み取る読取手段と、前記読取手段により読み取られた前記原稿の画像を、前記原稿台の当該原稿が置かれていた又は置かれた範囲と重複部分を持つ範囲に表示する表示手段とを備えたことを特徴とする画像読取装置である。
請求項５に記載の発明は、前記表示手段は、前記読取手段により読み取られた前記原稿の画像に対する操作に応じて、当該原稿の画像に対して加工を施した画像を前記原稿台に表示することを特徴とする請求項４に記載の画像読取装置である。
請求項６に記載の発明は、前記表示手段は、前記読取手段により読み取られた前記原稿の画像を、前記原稿台の前記原稿が置かれていた側から当該原稿台の側に向けて光を照射させることにより表示することを特徴とする請求項４に記載の画像読取装置である。
請求項７に記載の発明は、前記表示手段は、前記原稿台から前記原稿を取り去る操作に応じて、前記読取手段により読み取られた当該原稿の画像を、当該原稿台に表示することを特徴とする請求項６に記載の画像読取装置である。
請求項８に記載の発明は、前記表示手段は、前記読取手段により前記原稿の画像が読み取られたことを示すために当該画像に付加される付加画像を、前記原稿台に置かれた当該原稿上に表示することを特徴とする請求項６に記載の画像読取装置である。
請求項９に記載の発明は、前記表示手段は、前記読取手段により読み取られた前記原稿の画像を、前記原稿台の側から当該原稿台の前記原稿が置かれた側に向けて光を照射させることにより表示することを特徴とする請求項４に記載の画像読取装置である。
請求項１０に記載の発明は、前記表示手段は、前記読取手段により前記原稿の画像が読み取られたことを示すために当該原稿の上から認識可能な効果を有する画像を、前記原稿台の当該原稿が置かれた範囲に表示することを特徴とする請求項９に記載の画像読取装置である。
請求項１１に記載の発明は、原稿を置くための原稿台に画像を表示する表示手段と、少なくとも前記原稿台に置かれた第１の原稿の画像である第１の画像を、当該原稿台に第２の画像が表示された状態で読み取る読取手段と、前記読取手段により読み取られた前記第１の画像と、前記第２の画像とを一体化した第３の画像を出力する出力手段とを備えたことを特徴とする画像読取装置である。
請求項１２に記載の発明は、前記第２の画像は、前記読取手段により読み取られた第２の原稿の画像であることを特徴とする請求項１１に記載の画像読取装置である。
請求項１３に記載の発明は、前記第２の画像は、前記原稿台から前記第２の原稿を取り去る操作に応じて、前記表示手段により当該原稿台に表示された画像であることを特徴とする請求項１２に記載の画像読取装置である。
請求項１４に記載の発明は、前記第２の画像は、自装置の記憶媒体又は他の記憶媒体に予め記憶された画像であることを特徴とする請求項１１に記載の画像読取装置である。
請求項１５に記載の発明は、コンピュータに、原稿を置くための原稿台に置かれた当該原稿の画像を読み取る機能と、読み取られた前記原稿の画像の一部を、前記原稿台の当該原稿が置かれた範囲に隣接する範囲に表示する機能とを実現させるためのプログラムである。
請求項１６に記載の発明は、コンピュータに、原稿を置くための原稿台に置かれた当該原稿の画像を読み取る機能と、読み取られた前記原稿の画像を、前記原稿台の当該原稿が置かれていた又は置かれた範囲と重複部分を持つ範囲に表示する機能とを実現させるためのプログラムである。
請求項１７に記載の発明は、コンピュータに、原稿を置くための原稿台に画像を表示する機能と、少なくとも前記原稿台に置かれた第１の原稿の画像である第１の画像を、当該原稿台に第２の画像が表示された状態で読み取る機能と、読み取られた前記第１の画像と、前記第２の画像とを一体化した第３の画像を出力する機能とを実現させるためのプログラムである。
【発明の効果】
【０００７】
請求項１の発明によれば、原稿台に置かれた原稿の画像が読み取られたことを読み取られた原稿の画像を用いて知らせることができる。
請求項２の発明によれば、原稿台の原稿が置かれた側から原稿台の側に向けて光を照射させる構成であっても、原稿台に置かれた原稿の画像が読み取られたことを原稿台から原稿が取り去られる前に知らせることができる。
請求項３の発明によれば、原稿台の原稿が置かれた側から原稿台の側に向けて光を照射させる構成であっても、読み取られた原稿の画像を原稿台上で確認させることができる。
請求項４の発明によれば、読み取られた原稿の画像を原稿台上で確認させることができる。
請求項５の発明によれば、読み取られた原稿の画像に対して加工を施すことができる。
請求項６の発明によれば、原稿台の原稿が置かれていた側から原稿台の側に向けて光を照射させる構成において、読み取られた原稿の画像を原稿台で確認させることができる。
請求項７の発明によれば、原稿台の原稿が置かれた側から原稿台の側に向けて光を照射させる構成であっても、読み取られた原稿の画像を原稿台上で確認させることができる。
請求項８の発明によれば、原稿台の原稿が置かれた側から原稿台の側に向けて光を照射させる構成において、原稿台に置かれた原稿の画像が読み取られたことを知らせることができる。
請求項９の発明によれば、原稿台の側から原稿台の原稿が置かれた側に向けて光を照射させる構成において、読み取られた原稿の画像を原稿台で確認させることができる。
請求項１０の発明によれば、原稿台の側から原稿台の原稿が置かれた側に向けて光を照射させる構成であっても、原稿台に置かれた原稿の画像が読み取られたことを知らせることができる。
請求項１１の発明によれば、原稿台に表示された画像と読み取られた原稿の画像とを一体化することができる。
請求項１２の発明によれば、先に読み取られて原稿台に表示された原稿の画像と新たに読み取られた原稿の画像とを一体化することができる。
請求項１３の発明によれば、先に読み取られて原稿台から原稿が取り去られた後に原稿台に表示された原稿の画像と新たに読み取られた原稿の画像とを一体化することができる。
請求項１４の発明によれば、記憶媒体に予め記憶されていて原稿台に表示された画像と読み取られた原稿の画像とを一体化することができる。
請求項１５の発明によれば、原稿台に置かれた原稿の画像が読み取られたことを読み取られた原稿の画像を用いて知らせることができる。
請求項１６の発明によれば、読み取られた原稿の画像を原稿台上で確認させることができる。
請求項１７の発明によれば、原稿台に表示された画像と読み取られた原稿の画像とを一体化することができる。
【図面の簡単な説明】
【０００８】
【図１】本発明の実施の形態が適用される画像処理装置の外観を示した図である。
【図２】本発明の実施の形態が適用される画像処理装置のハードウェア構成例を示した図である。
【図３】本発明の実施の形態における制御装置の機能構成例を示したブロック図である。
【図４】画像処理装置の待機中における画面表示例を示した図である。
【図５】画像処理装置のログイン完了時における画面表示例を示した図である。
【図６】画像処理装置の印刷操作開始時における画面表示例を示した図である。
【図７】画像処理装置のファイル内容確認時における画面表示例を示した図である。
【図８】画像処理装置の出力形式選択時における画面表示例を示した図である。
【図９】画像処理装置の印刷完了時における画面の表示例を示した図である。
【図１０】ユーザが原稿を操作台に置いた時の画面表示例を示した図である。
【図１１】ユーザが原稿を操作台に置いた時の画面表示例を示した図である。
【図１２】画像処理装置の二次元スキャン完了時における画面表示例を示した図である。
【図１３】画像処理装置の保存操作開始時における画面表示例を示した図である。
【図１４】画像処理装置の三次元スキャン完了時における画面表示例を示した図である。
【図１５】本発明の実施の形態における制御装置の動作例を示したフローチャートである。
【図１６】プリント処理を行う際の制御装置の動作例を示したフローチャートである。
【図１７】二次元スキャン処理を行う際の制御装置の動作例を示したフローチャートである。
【図１８】スキャン画像表示処理で表示される画面表示例を示した図である。
【図１９】スキャン画像表示処理を行う際の制御装置の動作例を示したフローチャートである。
【図２０】（ａ），（ｂ）は、スキャン画像表示処理の後に行われるスキャンデータ加工処理で表示される画面表示例を示した図である。
【図２１】スキャン画像表示処理の後にスキャンデータ加工処理を行う際の制御装置の動作例を示したフローチャートである。
【図２２】（ａ）〜（ｄ）は、スキャン画像表示処理、及び、その後に行われる重ね合わせスキャン処理で表示される画面表示例を示した図である。
【図２３】スキャン画像表示処理の後に重ね合わせスキャン処理を行う際の制御装置の動作例を示したフローチャートである。
【発明を実施するための形態】
【０００９】
以下、添付図面を参照して、本発明の実施の形態について詳細に説明する。
【００１０】
［画像処理装置の全体構成］
図１は、本実施の形態が適用される画像処理装置１００の外観を示した図である。図示するように、画像処理装置１００は、ガイド表示部１０と、操作台２０と、投影部３０と、操作検知部４０と、印刷部５０と、撮像部６０ａ〜６０ｄとを備える。
【００１１】
ガイド表示部１０は、画像処理装置１００の操作に対するガイド等のユーザに対するメッセージを表示するディスプレイである。ガイド表示部１０は、後述する操作台２０とは異なり、その表面に接触しても接触は検知されないようになっている。ここで、ガイド表示部１０としては、例えば、液晶ディスプレイを用いるとよい。本実施の形態では、接触する操作を検知しない第１の表示面の一例として、ガイド表示部１０を設けている。
【００１２】
操作台２０は、ユーザが携帯情報端末や原稿等を置いたり操作を行ったりすることができるように、ユーザ側にせり出すように設けられた略水平な台である。この場合の「略水平」は、操作台２０に置かれた携帯情報端末や原稿等がずれ落ちない程度の水平度合いであればよい。操作台２０は、後述する投影部３０の機能により、画像が表示されるようになっており、後述する操作検知部４０の機能により、その表面に接触した場合に接触が検知されるようになっている。但し、操作台２０自体をディスプレイで構成し、投影部３０を設けないようにしてもよい。本実施の形態では、表示面、第２の表示面、原稿台の一例として、操作台２０を設けている。
【００１３】
投影部３０は、操作台２０に画像を投影するプロジェクタである。投影部３０は、ガイド表示部１０の下部に設けてあるため、操作台２０に斜め上方向から画像を投影することになるが、操作台２０の鉛直上方に設けて、操作台２０に真上方向から画像を投影するようにしてもよい。或いは、投影部３０を操作台２０の鉛直下方に設けたり、投影部３０と共にミラーを用いたりして、操作台２０に真下方向から画像を投影するようにしてもよい。ここで、投影部３０としては、例えば、液晶プロジェクタを用いるとよい。
【００１４】
操作検知部４０は、操作台２０の表面に接触することによる操作を検知する。この操作の検知は、例えば、操作台２０に表面に放射状に赤外線を照射してユーザの指等がその赤外線を遮ることを感知することによって行えばよい。即ち、操作検知部４０としては、例えば、赤外線ＬＥＤ及び赤外線センサを用いるとよい。
【００１５】
印刷部５０は、紙等に画像を印刷するプリンタである。ここで、印刷部５０としては、例えば、感光体に付着させたトナーを記録媒体に転写して像を形成する電子写真方式や、インクを記録媒体上に吐出して像を形成するインクジェット方式のものを用いるとよい。或いは、印刷部５０は、版にインクを付けて紙等に押し付けて印刷物を作る印刷機であってもよい。本実施の形態では、印刷装置の一例として、印刷部５０を設けている。
【００１６】
撮像部６０ａ〜６０ｄは、操作台２０に置かれた原稿や携帯情報端末を撮像するカメラである。このうち、撮像部６０ａ，６０ｂは、ガイド表示部１０の上部に設けてあるため、主として、操作台２０に置かれた原稿や携帯情報端末を上方から撮像する。また、撮像部６０ｃ，６０ｄは、操作台２０の手前側に設けてあるため、主として、操作台２０に立体物が置かれた場合にそれを斜め下方向から撮像する。このように、撮像部６０ａ〜６０ｄは、その設けられた位置によって用途が異なるが、以下では、これらを区別しない場合は、撮像部６０と称することにする。この場合、撮像部６０はスキャナとして設けられているので、以下では、撮像部６０について「撮像する」を「スキャンする」とも表記するものとする。本実施の形態では、読取装置の一例として、撮像部６０を設けている。また、図では、撮像部６０を４つのみ示しているが、その数はこれに限られるものではない。例えば、ユーザの視線や動作を検知するための撮像部６０をそのような検知が可能な位置に設けてもよい。
【００１７】
［画像処理装置のハードウェア構成］
図２は、本実施の形態が適用される画像処理装置１００のハードウェア構成例を示した図である。図示するように、画像処理装置１００は、ＣＰＵ（Central Processing Unit）１と、ＲＡＭ（Random Access Memory）２と、ＲＯＭ（Read Only Memory）３と、ＨＤＤ（Hard Disk Drive）４と、通信インターフェース（以下、「通信Ｉ／Ｆ」と表記する）５と、ガイド表示部１０と、投影部３０と、操作検知部４０と、印刷部５０と、撮像部６０とを備える。
【００１８】
ＣＰＵ１は、ＲＯＭ３等に記憶された各種プログラムをＲＡＭ２にロードして実行することにより、後述する各機能を実現する。ＲＡＭ２は、ＣＰＵ１の作業用メモリ等として用いられるメモリである。ＲＯＭ３は、ＣＰＵ１が実行する各種プログラム等を記憶するメモリである。ＨＤＤ４は、撮像部６０がスキャンしたデータや印刷部５０における印刷で用いられるデータ等を記憶する例えば磁気ディスク装置である。通信Ｉ／Ｆ５は、通信回線を介して他の装置との間で各種情報の送受信を行う。
【００１９】
ガイド表示部１０、投影部３０、操作検知部４０、印刷部５０、及び、撮像部６０については、図１を参照して既に説明したので、ここでの説明は省略する。
【００２０】
［制御装置の機能構成］
図３は、このような画像処理装置１００を制御する制御装置７０の機能構成例を示したブロック図である。ここで、制御装置７０は、表示装置、画像読取装置の一例であり、画像処理装置１００のＣＰＵ１（図２参照）が、後述する各機能部を実現するプログラムを例えばＲＯＭ３（図２参照）からＲＡＭ２（図２参照）に読み込んで実行することにより、実現される装置として捉えられる。制御装置７０は、図示するように、表示制御部７１と、投影制御部７２と、検知制御部７３と、印刷制御部７４と、撮像制御部７５と、通信制御部７６と、支払い処理部７７と、原稿種類認識部７８と、スキャンデータ処理部７９とを備える。
【００２１】
表示制御部７１は、ガイド表示部１０に各種ガイド及び各種画面を表示する。本実施の形態では、第１の表示面に情報を表示する第１の表示手段の一例として、表示制御部７１を設けている。
【００２２】
投影制御部７２は、投影部３０を用いて、操作台２０に各種画面を表示する。本実施の形態では、表示面、第２の表示面、原稿台に情報を表示する第２の表示手段の一例として、投影制御部７２を設けている。
【００２３】
検知制御部７３は、操作台２０の表面に接触することによる操作を操作検知部４０が検知したかどうかを判定する。また、ユーザの接近を人感センサ（図示せず）が検知したかどうかも判定する。
【００２４】
印刷制御部７４は、印刷部５０による印刷を制御する。
【００２５】
撮像制御部７５は、操作台２０に置かれた原稿や携帯情報端末を撮像するように撮像部６０を制御し、撮像部６０による撮像で得られた画像を取得する。特に、操作台２０に原稿が置かれてから予め定められた時間が経過すると原稿をスキャンするように撮像部６０を制御し、このスキャンにより得られた電子データであるスキャンデータを取得する。本実施の形態では、画像を読み取る読取手段の一例として、撮像制御部７５を設けている。また、撮像制御部７５は、ユーザの視線や動作を検知するための撮像部６０から、その検知結果を取得することもある。この場合、撮像制御部７５は、操作者の動作を検知する検知手段の一例である。
【００２６】
通信制御部７６は、カードに記録された情報をカードリーダ（図示せず）が読み取ると、カードリーダから情報を受信する。また、携帯情報端末に記憶された情報をＮＦＣ（Near Field Communication）リーダ（図示せず）が受信すると、ＮＦＣリーダから情報を受信する。更に、携帯情報端末に記憶された情報をＷｉ−Ｆｉ（登録商標）により受信する。尚、Ｗｉ−Ｆｉの代わりに、Ｂｌｕｅｔｏｏｔｈ（登録商標）を用いてもよいが、以下では、Ｗｉ−Ｆｉを用いるものとして説明する。本実施の形態では、情報を読み取る読取手段の一例として、通信制御部７６を設けている。
【００２７】
また、通信制御部７６は、通信Ｉ／Ｆ５を介して、外部のクラウドシステムからファイルを受信したり、外部のクラウドシステムへファイルを送信したりする。本実施の形態では、他の装置からデータを受信する受信手段の一例として、また、他の装置へデータを送信する送信手段の一例として、通信制御部７６を設けている。
【００２８】
支払い処理部７７は、通信制御部７６がカードリーダから受信した情報や、通信制御部７６がＷｉ−Ｆｉにより受信した情報に基づいて、支払い情報の作成等の支払いに関する処理を行う。
【００２９】
原稿種類認識部７８は、操作台２０に原稿が置かれると、原稿の種類を認識する。この原稿の種類の認識は、例えば、原稿の種類ごとに予め記憶された画像データとのパターンマッチングにより行えばよい。
【００３０】
スキャンデータ処理部７９は、撮像制御部７５が取得したスキャンデータに対して各種処理を行う。ここで、各種処理は、スキャンデータを加工する処理、複数のスキャンで得られたスキャンデータを一体化する処理等を含む。本実施の形態では、２つの画像を一体化した画像を出力する出力手段の一例として、スキャンデータ処理部７９を設けている。
【００３１】
［画像処理装置の画面表示例］
本実施の形態では、最終的なプリント及びスキャンは画像処理装置１００で行われるが、そのための事前の操作はスマートフォン等の携帯情報端末で行われる。
【００３２】
そこで、画像処理装置１００の画面表示例を説明するに先立ち、携帯情報端末における事前の操作について説明する。携帯情報端末には、画像処理装置１００を利用するためのアプリケーションソフトウェア（以下、「アプリ」という）がインストールされており、ユーザはこのアプリを用いて事前の操作を行う。尚、本実施の形態で用いられるアプリは、画像処理装置１００を利用するためのアプリだけであるので、本明細書で「アプリ」というときは、この画像処理装置１００を利用するためのアプリを指すものとする。
【００３３】
まず、携帯情報端末における初回の操作について説明する。ユーザは、画像処理装置１００を利用するサービスに加入する際に、携帯情報端末でアプリを起動し、認証を行うための認証情報とその他の各種情報とを登録する。
【００３４】
携帯情報端末に登録された各種情報（以下、「登録情報」という）は、支払い方法、印刷設定、保存先等を含む。
【００３５】
本実施の形態において、画像処理装置１００は、公共の空間に設置されて利用されるものであることを前提とするので、支払い方法の登録が必要である。即ち、支払い方法は、プリントやスキャンに対してどのような方法で支払いを行うかを示すものであり、例えば、クレジットカードによる支払い、電子マネー型のＩＣカードによる支払い等を含む。
【００３６】
また、印刷設定は、プリントする際にどのようなプリント結果を得たいかを示すものである。印刷設定は、例えば、白黒印刷かカラー印刷か、片面印刷か両面印刷か等の通常の印刷設定に加えて、ステープル留めをするか、封筒に入れるか、ビニールに入れるか等の特殊な出力形式の印刷設定も含む。
【００３７】
更に、保存先は、原稿をスキャンすることにより得られたスキャンデータをどこに保存するかを示すものである。保存先は、経費精算クラウドシステム、文書管理クラウドシステム、名刺管理クラウドシステム等を含む。これらの保存先は、原稿の種類ごとに、その種類の原稿のスキャンデータが保存される場所として登録しておくとよい。例えば、原稿の種類がレシートであれば、そのスキャンデータは経費精算クラウドシステムに、原稿の種類がＡ４用紙であれば、そのスキャンデータは文書管理クラウドシステムに、原稿の種類が名刺であれば、そのスキャンデータは名刺管理クラウドシステムに、それぞれ保存されるように登録しておけばよい。
【００３８】
次に、携帯情報端末における２回目以降の操作について説明する。ユーザは、例えばクラウドシステムに格納されたファイルを印刷する際に、携帯情報端末でアプリを起動し、クラウドシステムからファイルのリストを取得して、携帯情報端末の表示部に表示する。この状態で、ユーザは、印刷したいファイルを指定することにより、印刷を予約する。以下、この印刷が予約されたファイルを「印刷予約ファイル」と呼ぶことにする。また、ユーザは、印刷予約ファイルに対して、各種情報を登録する。例えば、印刷予約ファイルに対して、出力形式を設定し、支払い方法を設定する。或いは、印刷予約ファイルに対して、出力形式や支払い方法は設定しないままにしておいてもよい。
【００３９】
その後、ユーザが実際にプリントする際には、公共の空間における画像処理装置１００の設置場所に行く必要がある。携帯情報端末のアプリは、この場合の情報の提供も行う。例えば、ユーザが携帯情報端末で印刷予約ファイルを指定して検索ボタンを押下すると、アプリは、ユーザの周辺の地図を携帯情報端末の表示部に表示し、指定された印刷予約ファイルに対して設定された出力形式等を考慮して、その印刷予約ファイルを印刷可能な画像処理装置１００の設置場所を地図上に表示する。これにより、ユーザは、画像処理装置１００の設置場所に行き、印刷したい印刷予約ファイルをプリントすることが可能となる。
【００４０】
以下、画像処理装置１００における画面表示例について説明する。
【００４１】
（待機中の画面表示例）
図４は、画像処理装置１００の待機中における画面表示例を示した図である。図示するように、画像処理装置１００は、待機中において、ガイド表示部１０に待機中画面１０１を表示する。待機中画面１０１は、画像処理装置１００の設置場所でユーザが必要とすると思われる情報を表す表示要素の一例である図形を含む。図では、このような情報の例として、情報Ａ〜Ｈを示している。待機中画面１０１には、画像処理装置１００の設置場所に応じて様々なバージョンがあり、情報Ａ〜Ｈは、待機中画面１０１のバージョンによって異なる。例えば、画像処理装置１００が駅に設置されていれば、待機中画面１０１は駅バージョンであり、情報Ａ〜Ｈは、運行、時刻表、旅行等に関する情報である。尚、図では、情報Ａ〜Ｈを示す図形は、全て同じ大きさとしているが、ユーザが必要とする度合いが高いと推測される情報を表す図形は大きくする等、情報の重要度に応じて変更してもよい。
【００４２】
図４の待機中画面１０１が表示された状態で、ユーザが携帯情報端末９０、原稿９５、及び、立体物９７の何れかを操作台２０に置くと、画像処理装置１００は、プリント処理、二次元スキャン処理、三次元スキャン処理のうち、操作台２０に置かれた物に応じた処理へ移行する。具体的には、画像処理装置１００は、ユーザが携帯情報端末９０を操作台２０に置くと、携帯情報端末９０でアプリが起動されており、アプリが送信した認証情報に基づいて認証が成功すれば、プリント処理へ移行する。一方、ユーザが原稿９５を操作台２０に置くと、二次元スキャン処理へ移行し、ユーザが立体物９７を操作台２０に置くと、三次元スキャン処理へ移行する。
【００４３】
（プリント処理時の画面表示例）
図５は、画像処理装置１００のログイン完了時における画面表示例を示した図である。ユーザが携帯情報端末９０を操作台２０に置き、認証が成功すると、画像処理装置１００は、プリント処理を開始する。その際、認証が成功することによりログイン処理が完了するので、画像処理装置１００は、まず、ガイド表示部１０及び操作台２０にログイン完了画面１０２を表示する。ログイン完了画面１０２は、図示するように、携帯情報端末９０と、操作台２０と、ガイド表示部１０とをアニメーションにより連携した画面となっている。
【００４４】
図６は、画像処理装置１００の印刷操作開始時における画面表示例を示した図である。操作台２０に置かれた携帯情報端末９０で印刷予約ファイルが指定されていれば、画像処理装置１００は、操作台２０に印刷指示画面１０３を表示する。印刷指示画面１０３は、印刷予約ファイルを表す画像（以下、「ファイル画像」という）を含む。図では、このようなファイル画像の例として、ファイル画像９１１〜９１３を示している。また、図では、印刷予約ファイルの属性に応じて印刷料金を算出し、印刷指示画面１０３にこの印刷料金も表示している。一方、画像処理装置１００は、ガイド表示部１０に、編集に関するガイド１２１と、印刷に関するガイド１２２とを表示する。このとき、携帯情報端末９０では、図示するように、アプリが表示部に印刷ボタンを表示する。
【００４５】
図７は、画像処理装置１００のファイル内容確認時における画面表示例を示した図である。ユーザが、図６のガイド１２１に従って、拡大ジェスチャを行うと、画像処理装置１００は、操作台２０にファイル内容表示画面１０４を表示する。ファイル内容表示画面１０４は、実際のサイズで文書等を表示し、その編集を可能とする画面である。例えばファイル画像９１３上で拡大ジェスチャを行った場合、ファイル画像９１３により表される印刷予約ファイルの内容が表示される。一方、画像処理装置１００は、ガイド表示部１０に、内容確認に関するガイド１２３と、出力形式に関するガイド１２４とを表示する。社内文書等の機密を保持すべき文書は、まずは、文字をぼかして表示し、ユーザがガイド１２３に従って指でなぞることにより、文字を見えるように表示するとよい。或いは、手のひらでなぞることにより文字を見えるように表示してもよい。
【００４６】
図８は、画像処理装置１００の出力形式選択時における画面表示例を示した図である。ユーザが、図７のガイド１２４に従って、製本ボタン（図示せず）を押下すると、画像処理装置１００は、操作台２０に出力形式表示画面１０５を表示する。出力形式表示画面１０５は、様々な出力形式を含み、その中から好みの出力形式を選択可能とする。ユーザが何れかの出力形式を選択すると、画像処理装置１００は、画面を元の画面に戻す。
【００４７】
その後、図６の印刷指示画面１０３が表示された状態で、ユーザが印刷料金を支払い、印刷ボタンを押下すると、画像処理装置１００は、印刷を開始する。その際、画像処理装置１００は、ファイル画像９１１〜９１３を手前にフェードアウトするように移動させる。
【００４８】
図９は、画像処理装置１００の印刷完了時における画面の表示例を示した図である。印刷が完了すると、画像処理装置１００は、操作台２０にログアウトガイド画面１０６を表示する。ログアウトガイド画面１０６は、携帯情報端末９０を外す操作を促すように、携帯情報端末９０の周囲のぼんやりと光る部分を含む。一方、画像処理装置１００は、ガイド表示部１０に、ログアウトに関するガイド１２５と、荷物に関するガイド１２６とを表示する。このとき、携帯情報端末９０では、図示するように、アプリが表示部にチェックマークを表示することにより、印刷が完了したことをユーザに知らせる。
【００４９】
これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５０】
（二次元スキャン処理時の画面表示例）
図１０，１１は、ユーザが原稿９５を操作台２０に置いた時の画面表示例を示した図である。ユーザが原稿９５を操作台２０に置くと、画像処理装置１００は、ガイド表示部１０に、原稿９５の位置調整に関するガイド１７１を表示する。まず、ユーザが、ガイド１７１に従い、図１０に示すように、原稿９５として、レシート９５１、Ａ４用紙９５２、及び、名刺９５３を互いに近付けて操作台２０に置いた場合を考える。この場合、画像処理装置１００は、原稿９５の種類を文書と認識し、操作台２０に、その旨を示す原稿種類認識結果１５０を表示する。次に、ユーザが、ガイド１７１に従い、図１１に示すように、原稿９５として、レシート９５１、Ａ４用紙９５２、及び、名刺９５３を互いに離して操作台２０に置いた場合を考える。この場合、画像処理装置１００は、原稿９５の種類をレシート、Ａ４用紙、及び、名刺と認識し、操作台２０に、その旨を示す原稿種類認識結果１５１〜１５３を表示する。
【００５１】
その後、図１１のように原稿９５が置かれた状態で、予め定められた時間が経過すると、画像処理装置１００は、原稿９５をスキャンする。
【００５２】
図１２は、画像処理装置１００のスキャン完了時における画面表示例を示した図である。スキャンが完了すると、画像処理装置１００は、ガイド表示部１０に、原稿９５の取り去りに関するガイド１７２と、保存先に関するガイド１７３とを表示する。ユーザが、ガイド１７２に従って、レシート９５１、Ａ４用紙９５２、及び、名刺９５３を操作台２０から取り去ると、画像処理装置１００は、操作台２０に、レシートのスキャン画像９２１、Ａ４用紙のスキャン画像９２２、及び、名刺のスキャン画像９２３を表示する。その際、画像処理装置１００は、スキャン画像９２１〜９２３を、正立した状態で表示する。
【００５３】
図１３は、画像処理装置１００の保存操作開始時における画面表示例を示した図である。ユーザが、携帯情報端末９０を操作台２０に置くと、画像処理装置１００は、操作台２０に保存指示画面１５４を表示する。保存指示画面１５４は、スキャン画像９２１〜９２３に加え、携帯情報端末９０に原稿の種類ごとに登録された保存先を表す保存先アイコン９２４〜９２６を含む。ここで、保存先アイコン９２４は、レシートのスキャンデータの保存先として登録された経費精算クラウドシステムを表す。また、保存先アイコン９２５は、Ａ４用紙のスキャンデータの保存先として登録された文書管理クラウドシステムを表す。更に、保存先アイコン９２６は、名刺のスキャンデータの保存先として登録された名刺管理クラウドシステムを表す。その際、携帯情報端末９０では、アプリが表示部に保存ボタンを表示する。ユーザが、保存指示画面１５４において、保存料金を支払い、保存ボタンを押下すると、画像処理装置１００は、レシート、Ａ４用紙、及び、名刺のスキャンデータを、それぞれ対応するクラウドシステムに保存する。
【００５４】
その後、画像処理装置１００は、図９に示したように、ガイド表示部１０に、ログアウトに関するガイド１２５と、荷物に関するガイド１２６とを表示する。これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５５】
（三次元スキャン処理の画面表示例）
ユーザが立体物９７を操作台２０に置いた状態で、予め定められた時間が経過すると、画像処理装置１００は、立体物９７をスキャンする。そして、ユーザが立体物９７を操作台２０から取り去ると、画像処理装置１００は、ガイド表示部１０及び操作台２０に立体物９７のスキャン結果を表示する。
【００５６】
図１４は、画像処理装置１００のスキャン完了時における画面表示例を示した図である。スキャンが完了すると、画像処理装置１００は、操作台２０にスキャン結果の平面画像９７１を表示する。一方、画像処理装置１００は、ガイド表示部１０にスキャン結果の三次元イメージ９７２を表示する。この三次元イメージ９７２は、図中、矢印で示すように、回転しながら表示され、ユーザがスキャン結果の立体形状を確認できるようになっている。また、画像処理装置１００は、ガイド表示部１０に、保存先の確認に関するガイド１７６と、支払い方法の確定に関するガイド１７７とを表示する。この状態で、ユーザが、携帯情報端末９０を操作台２０に置くと、画像処理装置１００は、操作台２０に保存指示画面１５５を表示する。保存指示画面１５５は、スキャン結果の平面画像９７１に加え、携帯情報端末９０に登録された保存先を表す保存先アイコン９２７を含む。ここで、保存先アイコン９２７は、立体物のスキャンデータの保存先として登録されたクラウドシステムを表す。その際、携帯情報端末９０では、アプリが表示部に保存ボタンを表示する。ユーザが、保存指示画面１５５において、保存料金を支払い、保存ボタンを押下すると、画像処理装置１００は、立体物９７のスキャンデータを、対応するクラウドシステムに保存する。
【００５７】
その後、画像処理装置１００は、図９に示したように、ガイド表示部１０に、ログアウトに関するガイド１２５と、荷物に関するガイド１２６とを表示する。これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５８】
［制御装置の動作例］
図１５は、このような画面表示を行う制御装置７０の動作例を示したフローチャートである。
【００５９】
図示するように、制御装置７０では、まず、表示制御部７１が、ガイド表示部１０に待機中画面１０１を表示する（ステップ７０１）。
【００６０】
次に、検知制御部７３が、ユーザの接近を人感センサが検知したかどうかを判定する（ステップ７０２）。ユーザの接近を人感センサが検知したと判定されなければ、検知制御部７３は、ステップ７０２を繰り返すが、ユーザの接近を人感センサが検知したと判定されれば、制御装置７０は、公共空間でユーザが必要とする情報をプリントする公共プリント処理を行う（ステップ７０３）。
【００６１】
次いで、撮像制御部７５が、操作台２０に何かが置かれたことを撮像部６０が検知したかどうかを判定する（ステップ７０４）。操作台２０に何かが置かれたことを撮像部６０が検知したと判定されなければ、制御装置７０は、公共プリント処理を継続する。
【００６２】
一方、操作台２０に何かが置かれたことを撮像部６０が検知したと判定されれば、撮像制御部７５は、操作台２０に原稿９５が置かれたことを撮像部６０が検知したかどうかを判定する（ステップ７０５）。その結果、操作台２０に原稿９５が置かれたことを撮像部６０が検知したと判定されれば、制御装置７０は、二次元スキャン処理を行う（ステップ７０６）。
【００６３】
また、操作台２０に原稿９５が置かれたことを撮像部６０が検知したと判定されなければ、撮像制御部７５は、操作台２０に携帯情報端末９０が置かれたことを撮像部６０が検知したかどうかを判定する（ステップ７０７）。その結果、操作台２０に携帯情報端末９０が置かれたことを撮像部６０が検知したと判定されれば、制御装置７０は、プリント処理を行う（ステップ７０８）。尚、このとき、制御装置７０では、プリント処理を行うに先立ち、通信制御部７６が、ＮＦＣにより、携帯情報端末９０に登録された認証情報を取得し、認証情報に基づいて認証及びＷｉ−Ｆｉの接続設定を行い、Ｗｉ−Ｆｉにより、携帯情報端末９０から登録情報を受信しておくものとする。一方、操作台２０に携帯情報端末９０が置かれたことを撮像部６０が検知したと判定されなければ、制御装置７０は、三次元スキャン処理を行う（ステップ７０９）。
【００６４】
図１６は、図１５のステップ７０８のプリント処理を行う際の制御装置７０の動作例を示したフローチャートである。
【００６５】
図示するように、制御装置７０は、まず、ガイド表示部１０及び操作台２０にログイン完了画面１０２を表示する（ステップ７２１）。具体的には、表示制御部７１が、ログイン完了画面１０２の一部をガイド表示部１０に表示し、投影制御部７２が、ログイン完了画面１０２の残りの一部を、投影部３０を用いて操作台２０に表示する。
【００６６】
次に、投影制御部７２が、投影部３０を用いて操作台２０に印刷予約ファイルの印刷を指示するための印刷指示画面１０３を表示する印刷指示画面表示処理を行う（ステップ７２２）。
【００６７】
次いで、支払い処理部７７等が、登録情報において印刷予約ファイルに対して登録された支払い方法又はその場で選択された支払い方法で支払い処理を行う（ステップ７２３）。そして、通信制御部７６が、携帯情報端末９０で印刷ボタンが押下された旨をＷｉ−Ｆｉにより受信したかどうかを判定する（ステップ７２４）。携帯情報端末９０で印刷ボタンが押下された旨をＷｉ−Ｆｉにより受信したと判定されなければ、通信制御部７６は、ステップ７２４を繰り返すが、携帯情報端末９０で印刷ボタンが押下された旨をＷｉ−Ｆｉにより受信したと判定されれば、印刷制御部７４が、印刷部５０で印刷を行うように制御する（ステップ７２５）。
【００６８】
その後、印刷部５０による印刷が終了すると、投影制御部７２が、投影部３０を用いて操作台２０にログアウトガイド画面１０６を表示する（ステップ７２６）。
【００６９】
図１７は、図１５のステップ７０６の二次元スキャン処理を行う際の制御装置７０の動作例を示したフローチャートである。
【００７０】
図示するように、制御装置７０は、まず、操作台２０に原稿種類認識結果を表示する（ステップ７４１）。具体的には、撮像制御部７５が、撮像部６０が撮像した原稿９５の画像を取得し、原稿種類認識部７８が、例えばパターンマッチングにより原稿９５の種類を認識し、投影制御部７２が、投影部３０を用いて操作台２０にその認識の結果を表示する。
【００７１】
次に、撮像制御部７５が、原稿９５の位置が変更されたことを撮像部６０が検知したかどうかを判定する（ステップ７４２）。原稿９５の位置が変更されたことを撮像部６０が検知したと判定されれば、制御装置７０は、再び、ステップ７４１を行う。原稿９５の位置が変更されたことを撮像部６０が検知したと判定されなければ、撮像制御部７５は、予め定められた時間が経過したかどうかを判定する（ステップ７４３）。予め定められた時間が経過したと判定されなければ、撮像制御部７５は、再び、ステップ７４２を行う。
【００７２】
一方、予め定められた時間が経過したと判定されれば、撮像制御部７５は、撮像部６０を用いて、操作台２０に置かれた原稿９５をスキャンする（ステップ７４４）。これにより、投影制御部７２が、投影部３０を用いて操作台２０にスキャン画像９２を表示するスキャン画像表示処理を行う（ステップ７４５）。
【００７３】
次に、撮像制御部７５は、操作台２０に携帯情報端末９０が置かれたことを撮像部６０が検知したかどうかを判定する（ステップ７４６）。操作台２０に携帯情報端末９０が置かれたことを撮像部６０が検知したと判定されなければ、撮像制御部７５は、ステップ７４６を繰り返すが、操作台２０に携帯情報端末９０が置かれたことを撮像部６０が検知したと判定されれば、投影制御部７２が、投影部３０を用いて操作台２０にスキャンデータの保存を指示するための保存指示画面を表示する（ステップ７４７）。尚、このとき、通信制御部７６は、ＮＦＣにより、携帯情報端末９０に登録された認証情報を取得し、認証情報に基づいて認証及びＷｉ−Ｆｉの接続設定を行い、Ｗｉ−Ｆｉにより、携帯情報端末９０から登録情報を受信しておくものとする。
【００７４】
次いで、支払い処理部７７等が、登録情報において原稿９５の種類に対して登録された支払い方法又はその場で選択された支払い方法で支払い処理を行う（ステップ７４８）。そして、通信制御部７６が、携帯情報端末９０で保存ボタンが押下された旨をＷｉ−Ｆｉにより受信したかどうかを判定する（ステップ７４９）。携帯情報端末９０で保存ボタンが押下された旨をＷｉ−Ｆｉにより受信したと判定されなければ、通信制御部７６は、ステップ７４９を繰り返すが、携帯情報端末９０で保存ボタンが押下された旨をＷｉ−Ｆｉにより受信したと判定されれば、投影制御部７２は、保存指示画面１５４を消去する保存指示画面消去処理を行う（ステップ７５０）。そして、通信制御部７６は、原稿９５のスキャンデータを原稿９５の種類に対して登録された保存先に通信Ｉ／Ｆ５を介して送信し、保存する（ステップ７５１）。
【００７５】
［画像処理装置のスキャン画像表示処理時の画面表示例］
本実施の形態において、画像処理装置１００は、操作台２０の原稿９５が置かれた範囲に隣接する範囲にスキャン画像の一部を表示し、操作台２０から原稿９５を取り去る操作に応じて、操作台２０の原稿９５が置かれていた範囲と重複部分を持つ範囲にスキャン画像を表示する。但し、以下では、原稿９５が置かれた範囲に隣接する範囲として、原稿９５の右下方向にずれた位置を例にとり、原稿９５が置かれていた範囲と重複部分を持つ範囲として、原稿９５が置かれていた範囲を例にとって、説明する。
【００７６】
図１８は、図１７のステップ７４５のスキャン画像表示処理で表示される画面表示例を示した図である。図１１のように、レシート９５１、Ａ４用紙９５２、及び、名刺９５３が操作台２０に置かれた状態でスキャンが行われると、画像処理装置１００は、操作台２０に、スキャン完了通知画面２０１を表示する。このスキャン完了通知画面２０１は、レシート９５１の右下方向にずれた位置に、レシートのスキャン画像の一部であるレシートの部分スキャン画像９３１を含む。また、Ａ４用紙９５２の右下方向にずれた位置に、Ａ４用紙のスキャン画像の一部であるＡ４用紙の部分スキャン画像９３２を含む。更に、名刺９５３の右下方向にずれた位置に、名刺のスキャン画像の一部である名刺の部分スキャン画像９３３を含む。
【００７７】
その後、ユーザがレシート９５１、Ａ４用紙９５２、及び、名刺９５３を取り去ると、画像処理装置１００は、図１２のように、操作台２０に、レシート全体のスキャン画像９２１、Ａ４用紙全体のスキャン画像９２２、及び、名刺全体のスキャン画像９２３を、レシート９５１、Ａ４用紙９５２、及び、名刺９５３が置かれていた位置に表示する。
【００７８】
尚、上記では、操作台２０から原稿９５を取り去る操作に応じてスキャン画像を表示するようにした。これは、投影部３０を用いて操作台２０に上方から投影することによりスキャン画像を表示することを前提としたからである。しかしながら、操作台２０自体がディスプレイとしてスキャン画像を表示する場合や、操作台２０に下方から投影することによりスキャン画像を表示する場合は、必ずしも、操作台２０から原稿９５を取り去る操作に応じてスキャン画像を表示する必要はない。例えば、原稿９５のスキャンが行われた時点で、操作台２０の原稿９５が置かれていた範囲と重複部分を持つ範囲にスキャン画像を表示してもよい。
【００７９】
また、上記では、スキャン完了通知画面２０１を、スキャン画像の一部である部分スキャン画像を含む画面としたが、これには限らない。投影部３０を用いて操作台２０に上方から投影する場合は、スキャン完了通知画面２０１を、原稿９５がスキャンされたことを示すために原稿９５に付加される付加画像を含む画面としてよい。ここで、付加画像は、例えば、原稿９５の右下隅に付加される原稿９５をめくることができることを示す画像や、原稿９５の中央に付加される「スキャン済み」等の文字列の画像であってよい。また、操作台２０自体がディスプレイとして画像を表示する場合や、操作台２０に下方から投影することにより画像を表示する場合は、スキャン完了通知画面２０１を、原稿９５がスキャンされたことを示すために原稿９５の上から認識可能な効果を有する画像を含む画面としてよい。ここで、原稿９５の上から認識可能な効果を有する画像とは、例えば、操作台２０の原稿９５周辺を光らせる画像であってよい。
【００８０】
［制御装置のスキャン画像表示処理時の動作例］
図１９は、図１７のステップ７４５のスキャン画像表示処理を行う際の制御装置７０の動作例を示したフローチャートである。
【００８１】
図示するように、制御装置７０では、まず、投影制御部７２が、撮像制御部７５が撮像部６０から取得したスキャン画像の一部を切り出して部分スキャン画像を生成する（ステップ８０１）。次に、投影制御部７２は、投影部３０を用いて、操作台２０の原稿９５に隣接する位置に、部分スキャン画像を表示する（ステップ８０２）。
【００８２】
その後、撮像制御部７５が、ユーザによる操作台２０からの原稿９５の取り去りを撮像部６０が検知したかどうかを判定する（ステップ８０３）。ユーザによる操作台２０からの原稿９５の取り去りを撮像部６０が検知したと判定されなければ、撮像制御部７５は、ステップ８０３を繰り返すが、ユーザによる操作台２０からの原稿９５の取り去りを撮像部６０が検知したと判定されれば、投影制御部７２が、投影部３０を用いて、操作台２０の原稿９５が置かれていた位置に、原稿９５のスキャン画像９２の全体を表示する（ステップ８０４）。
【００８３】
［画像処理装置のスキャンデータ加工処理時の画面表示例］
図２０（ａ），（ｂ）は、図１７のステップ７４５のスキャン画像表示処理の後にオプションで行われるスキャンデータ加工処理で表示される画面表示例を示した図である。図１０のように、レシート９５１、Ａ４用紙９５２、及び、名刺９５３が互いに近付けて置かれた状態でスキャンが行われると、画像処理装置１００は、図２０（ａ）のように、操作台２０に、レシートとＡ４用紙と名刺とを一体化した文書のスキャン画像９２を表示する。このとき、画像処理装置１００は、レシートとＡ４用紙と名刺とを一体化した文書のスキャンデータを生成する処理も行っている。
【００８４】
この状態で、ユーザが、スキャン画像９２上で、図示するように、レシートの部分に親指を当て、Ａ４用紙の部分に人差し指を当てて、ピンチアウト操作を行い、かつ、図示しないが、Ａ４用紙の部分に親指を当て、名刺の部分に人差し指を当てて、ピンチアウト操作を行ったとする。すると、画像処理装置１００は、スキャン画像９２を、図２０（ｂ）のように、レシートのスキャン画像９２１と、Ａ４用紙のスキャン画像９２２と、名刺のスキャン画像９２３とに分割する。このとき、画像処理装置１００は、先に生成されたレシートとＡ４用紙と名刺とを一体化した文書のスキャンデータを、レシートに対応する部分と、Ａ４用紙に対応する部分と、名刺に対応する部分とに分割する処理も行う。
【００８５】
一方、図示しないが、ユーザが、図２０（ｂ）のスキャン画像９２１〜９２３上で、レシートの部分に親指を当て、Ａ４用紙の部分に人差し指を当てて、ピンチイン操作を行い、かつ、Ａ４用紙の部分に親指を当て、名刺の部分に人差し指を当てて、ピンチイン操作を行ったとする。すると、画像処理装置１００は、レシートのスキャン画像９２１と、Ａ４用紙のスキャン画像９２２と、名刺のスキャン画像９２３とを結結合する。そして、レシートのスキャンデータと、Ａ４用紙のスキャンデータと、名刺のスキャンデータとを結合する処理も行う。
【００８６】
［制御装置のスキャンデータ加工処理時の動作例］
図２１は、図１７のステップ７４５のスキャン画像表示処理の後にスキャンデータ加工処理を行う際の制御装置７０の動作例を示したフローチャートである。
【００８７】
図示するように、制御装置７０では、まず、検知制御部７３が、ユーザによるスキャン画像９２上での操作を操作検知部４０が検知したかどうかを判定する（ステップ８２１）。ユーザによるスキャン画像９２上での操作を操作検知部４０が検知したと判定されなければ、検知制御部７３は、ステップ８２１を繰り返す。
【００８８】
一方、ユーザによるスキャン画像９２上での操作を操作検知部４０が検知したと判定されれば、検知制御部７３は、スキャン画像９２上でのピンチアウト操作を操作検知部４０が検知したかどうかを判定する（ステップ８２２）。その結果、スキャン画像９２上でのピンチアウト操作を操作検知部４０が検知したと判定されれば、投影制御部７２が、投影部３０を用いて、操作台２０に、スキャン画像９２を分割して表示する（ステップ８２３）。そして、スキャンデータ処理部７９が、撮像部６０により得られたスキャンデータを分割する（ステップ８２４）。
【００８９】
また、スキャン画像９２上でのピンチアウト操作を操作検知部４０が検知したと判定されなければ、検知制御部７３は、スキャン画像９２上でのピンチイン操作を操作検知部４０が検知したかどうかを判定する（ステップ８２５）。スキャン画像９２上でのピンチイン操作を操作検知部４０が検知したと判定されれば、投影制御部７２が、投影部３０を用いて、操作台２０に、分割されたスキャン画像９２を結合して表示する（ステップ８２６）。そして、スキャンデータ処理部７９が、撮像部６０により得られた分割されたスキャンデータを結合する（ステップ８２７）。一方、スキャン画像９２上でのピンチイン操作を操作検知部４０が検知したと判定さなければ、検知制御部７３は、処理をステップ７４６の直前に戻す。
【００９０】
［画像処理装置の重ね合わせスキャン処理時の画面表示例］
図２２（ａ）〜（ｄ）は、図１７のステップ７４５のスキャン画像表示処理、及び、その後にオプションで行われる重ね合わせスキャン処理で表示される画面表示例を示した図である。ここでは、（ａ）のように、原稿９５として領収証貼付台紙（以下、単に「台紙」という）９６が操作台２０に置かれた状態で、スキャンが行われたとする。すると、画像処理装置１００は、（ｂ）のように、台紙９６の右下方向にずれた位置に、台紙の部分スキャン画像９３を表示する。
【００９１】
その後、ユーザが台紙９６を取り去ると、画像処理装置１００は、（ｃ）のように、台紙全体のスキャン画像９４を表示する。このとき、画像処理装置１００は、台紙のスキャンデータも生成する。続けて、（ｄ）のように、ユーザが原稿９５として領収証９６１〜９６３を操作台２０に置き、この状態で、スキャンが行われたとする。すると、画像処理装置１００は、台紙と３つの領収証とを一体化したスキャンデータを生成する。
【００９２】
その後、ユーザが領収証９６１〜９６３を取り去って継続ボタン（図示せず）を押下すると、再び、（ｃ）の台紙のスキャン画像９４が表示された状態となる。そして、以降も領収証をスキャンするのであれば、（ｄ）の状態と（ｃ）の状態とが繰り返される。一方、（ｄ）の状態で、ユーザが領収証９６１〜９６３を取り去って終了ボタン（図示せず）を押下すると、これまでに生成された台紙と領収証とを一体化したスキャンデータが保存される。
【００９３】
尚、ここでは、台紙の画像として、台紙９６をスキャンすることにより得られたスキャン画像９２を操作台２０に表示するようにしたが、これには限らない。例えば、予め台紙の画像を作成して記憶領域に記憶しておき、この台紙の画像を記憶領域から読み出して操作台２０に表示するようにしてもよい。
【００９４】
以下、このように予め作成しておいた台紙の画像を表示するシステムの一例について説明する。ユーザが操作台２０に携帯情報端末９０を置く等して画像処理装置１００にログインした際に、そのユーザについて、領収証を提出する手続きが必要である旨が基幹システムから通知されていれば、画像処理装置１００は、領収書スキャンボタン（図示せず）を表示する。これにより、ユーザが領収証スキャンボタンを押下すると、画像処理装置１００は、精算項目選択画面（図示せず）を表示する。そして、ユーザが対象の精算項目を選択すると、画像処理装置１００は、図２２（ｃ）のように、対象の精算項目に応じた台紙の画像を読み出して操作台２０に表示する。それ以降は、図２２（ｄ）のように、ユーザが領収証９６１〜９６３を操作台２０に置いた状態でスキャンが行われることにより、画像処理装置１００は、台紙と３つの領収証とを一体化したスキャンデータを生成する。そして、以降も領収証をスキャンするのであれば、（ｄ）の状態と（ｃ）の状態とが繰り返される。
【００９５】
尚、図２２（ｄ）では、領収証９６１〜９６３が置かれた台紙の画像の全体をスキャンすることにより、台紙と３つの領収証とを一体化したスキャンデータを生成するようにしたが、これには限らない。領収証９６１〜９６３をスキャンすることにより得られた領収証のスキャンデータと、台紙の画像とを用いて、台紙と３つの領収証とを一体化したスキャンデータを生成するようにしてもよい。この場合、領収証のスキャンデータは第１の画像の一例であり、台紙の画像は第２の画像の一例であり、台紙と３つの領収証とを一体化したスキャンデータは第３の画像の一例である。
【００９６】
［画像処理装置の重ね合わせスキャン処理時の動作例］
図２３は、図１７のステップ７４５のスキャン画像表示処理の後に重ね合わせスキャン処理を行う際の制御装置７０の動作例を示したフローチャートである。尚、ここでは、動作に先立ち、台紙のスキャン画像９４又は予め作成された台紙の画像が操作台２０に表示されているものとする。また、以下で、原稿９５とは、台紙の画像の上に重ねてスキャンする対象（例えば、図２２（ｄ）の領収証９６１〜９６３）を言うものとする。
【００９７】
図示するように、制御装置７０では、まず、撮像制御部７５が、操作台２０に表示された台紙の画像の上に原稿９５が置かれたことを撮像部６０が検知したかどうかを判定する（ステップ８４１）。原稿９５が置かれたことを撮像部６０が検知したと判定されなければ、撮像制御部７５は、ステップ８４１を繰り返すが、原稿９５が置かれたことを撮像部６０が検知したと判定されれば、撮像制御部７５は、予め定められた時間が経過したかどうかを判定する（ステップ８４２）。予め定められた時間が経過したと判定されなければ、撮像制御部７５は、処理をステップ８４１へ戻す。
【００９８】
一方、予め定められた時間が経過したと判定されれば、撮像制御部７５は、操作台２０に表示された台紙の画像とその上に置かれた原稿９５とをスキャンする（ステップ８４３）。
【００９９】
その後、撮像制御部７５が、ユーザによる操作台２０からの原稿９５の取り去りを撮像部６０が検知したかどうかを判定する（ステップ８４４）。ユーザによる操作台２０からの原稿９５の取り去りを撮像部６０が検知したと判定されなければ、撮像制御部７５は、ステップ８４４を繰り返すが、ユーザによる操作台２０からの原稿９５の取り去りを撮像部６０が検知したと判定されれば、検知制御部７３が、操作台２０での継続ボタンの押下を操作検知部４０が検知したかどうかを判定する（ステップ８４５）。操作台２０での継続ボタンの押下を操作検知部４０が検知したと判定されれば、検知制御部７３は、処理をステップ８４１へ戻す。
【０１００】
一方、操作台２０での継続ボタンの押下を操作検知部４０が検知したと判定されなければ、つまり、操作台２０での終了ボタンの押下を操作検知部４０が検知したと判定されれば、スキャンデータ処理部７９が、これまでのスキャンで撮像部６０から取得した台紙の画像とその上の原稿とをスキャンした結果を合わせて、スキャンデータを生成する（ステップ８４６）。
【０１０１】
［プログラム］
本実施の形態における制御装置７０が行う処理は、例えば、アプリケーションソフトウェア等のプログラムとして用意される。
【０１０２】
即ち、本実施の形態を実現するプログラムは、コンピュータに、原稿を置くための原稿台に置かれた原稿の画像を読み取る機能と、読み取られた原稿の画像の一部を、原稿台の原稿が置かれた範囲に隣接する範囲に表示する機能とを実現させるためのプログラムとして捉えられる。
【０１０３】
また、本実施の形態を実現するプログラムは、コンピュータに、原稿を置くための原稿台に置かれた原稿の画像を読み取る機能と、読み取られた原稿の画像を、原稿台の原稿が置かれていた又は置かれた範囲と重複部分を持つ範囲に表示する機能とを実現させるためのプログラムとしても捉えられる。
【０１０４】
更に、本実施の形態を実現するプログラムは、コンピュータに、原稿を置くための原稿台に画像を表示する機能と、少なくとも原稿台に置かれた第１の原稿の画像である第１の画像を、原稿台に第２の画像が表示された状態で読み取る機能と、読み取られた第１の画像と、第２の画像とを一体化した第３の画像を出力する機能とを実現させるためのプログラムとしても捉えられる。
【０１０５】
尚、本実施の形態を実現するプログラムは、通信手段により提供することはもちろん、ＣＤ−ＲＯＭ等の記録媒体に格納して提供することも可能である。
【符号の説明】
【０１０６】
１０…ガイド表示部、２０…操作台、３０…投影部、４０…操作検知部、５０…印刷部、６０…撮像部、７０…制御装置、７１…表示制御部、７２…投影制御部、７３…検知制御部、７４…印刷制御部、７５…撮像制御部、７６…通信制御部、７７…支払い処理部、７８…原稿種類認識部、７９…スキャンデータ処理部、１００…画像処理装置
【図１】
2019092065.tif 000003
【図２】
2019092065.tif 000004
【図３】
2019092065.tif 000005
【図４】
2019092065.tif 000006
【図５】
2019092065.tif 000007
【図６】
2019092065.tif 000008
【図７】
2019092065.tif 000009
【図８】
2019092065.tif 000010
【図９】
2019092065.tif 000011
【図１０】
2019092065.tif 000012
【図１１】
2019092065.tif 000013
【図１２】
2019092065.tif 000014
【図１３】
2019092065.tif 000015
【図１４】
2019092065.tif 000016
【図１５】
2019092065.tif 000017
【図１６】
2019092065.tif 000018
【図１７】
2019092065.tif 000019
【図１８】
2019092065.tif 000020
【図１９】
2019092065.tif 000021
【図２０】
2019092065.tif 000022
【図２１】
2019092065.tif 000023
【図２２】
2019092065.tif 000024
【図２３】
2019092065.tif 000025